(57)【特許請求の範囲】
【請求項１】
内部に蓄圧室を有する軽金属製のハウジングと、ハウジング内に設けられたシリンダと、シリンダ内に往復動可能に設けられ、下端にドライバブレードを取り付けたピストンと、ハウジングの表面を保護するためハウジングの両側面に取り付けられた可撓性材料からなる保護部材とを有する釘打機であって、
前記保護部材をハウジングの側面ほぼ中央部の長手方向のほぼ全面を覆う大きさに形成し、前記ハウジングの上部及び下部にそれぞれ２個の装着溝を設けると共に保護部材の該当個所に前記装着溝に係合するそれぞれ２個のリップ部を設け、保護部材の上方リップ部をハウジングの上方装着溝にスライドさせて係合させると共に保護部材の下方リップ部の表面を押し込んで保護部材の下方リップ部をハウジングの下方装着溝に係合させることにより保護部材をハウジングに取り外し可能に取り付けたことを特徴とする釘打機。
【発明の詳細な説明】
【０００１】
【発明の属する技術分野】
本発明はハウジング等の釘打機本体及び釘打機が置かれる相手材の損傷を防止する保護部材を有する釘打機に関するものである。
【０００２】
【従来の技術】
小形動力工具である釘打機は、使用後に釘打機を置いた時に床等の相手材及び釘打機本体が損傷しないよう、相手材に当たる釘打機の部分すなわちハウジングに可撓性のあるゴム等からなるプロテクタと呼ばれる保護部材を装着している。プロテクタのハウジングへの装着は、ハウジングの両側面長手方向に全面に渡ってある場合、プロテクタの裏全面を接着するかまたは専用ネジで固定することによって行われていた。
【０００３】
【発明が解決しようとする課題】
プロテクタをハウジングに全面接着した場合は、釘打機の耐用年数経過後に廃棄する場合、両者を分離することが困難であるという問題がある。近年は、特に分別回収の要求が強くなってきているため、分離が困難であることが問題となっている。また接着では、使用中に保護部材が劣化した場合に交換することも不可能であると共に組立てに工数が掛かることや接着剤が人体に及ぼす影響も有り極力接着しない方法が望まれている。また専用ネジ等で固定する場合は、部品点数やネジの加工が増すことや、組立て作業性が悪い等の問題も発生していた。
【０００４】
本発明の目的は、上記した従来技術の問題をなくし、保護部材をハウジングに着脱可能に取り付けられるようにすることである。
【０００５】
【課題を解決するための手段】
上記目的は、保護部材をハウジングの側面ほぼ中央部の長手方向のほぼ全面を覆う大きさに形成し、保護部材とハウジングをそれぞれ係合し合う少なくとも２個以上の係合部を介して嵌着させることにより達成される。
【０００６】
【発明の実施の形態】
以下本発明の一実施形態を図１〜図１１を参照して説明する。本発明釘打機１は、周知の如くまた図１、図２に示す如く、図示しないシリンダ、下端にドライバブレードを装着したピストン等から構成される駆動部を収容したハウジング２、ハウジング２上部にネジ４を介して連結されたエキゾーストカバー３、ハウジング２の下方に装着され、図示しない打ち出される釘をガイドするノーズ５、ハウジング２と一体のハンドル７及び釘を収容するマガジン等から構成される。ハウジング２、エキゾーストカバー３及びハンドル７内には周知の如く図示しない蓄圧室が形成されている。ハウジング２、エキゾーストカバー３は、蓄圧室としての強度が必要なため、通常軽金属であるアルミダイカストやマグネダイカストにより形成されている。
【０００７】
ハウジング２には、ハウジング２の表面を保護するための可撓性のゴム等からなる保護部材であるプロテクタ８が装着され、プロテクタ８はハウジング２の両側面ほぼ中央部に長手方向のほぼ全面を覆うように比較的長くかつ大きい形状とされている。図３はプロテクタ８の内面を示し、上部及び下部にそれぞれ２個のリップ部９ａ、９ｂが形成され、下端を除く外周には内側に突出した外周端部８ａが設けられている（図１０参照）。上下のリップ部９ａ、９ｂ間の間隔はｔに設定されている。プロテクタ８の外面ほほ中央には凹部８ｃ及び凹部８ｃの周りに凸部８ｂが設けられている。凸部８ｂはその頂点の半径Ｄがほぼ円形断面のハウジング２の半径ｄより大きくなるように形成されている（図１０参照）。凹部８ｃには銘板１１が貼り付け等の手段によって取り付けられる。
【０００８】
図４はハウジング２の側面を示し、前記プロテクタ８のリップ部９ａ、９ｂに対応する上下位置にそれぞれ装着溝部６ａ、６ｂが設けられていると共にプロテクタ８が装着されるほぼ中央部にリブ１０が設けられている。装着溝部６ａ、６ｂ間の間隔Ｔは前記間隔ｔに等しく設定されている。従って、プロテクタ８はハウジング２に隙間なく装着されるようになり、作業時の振動等によってプロテクタ８ががたつく心配はなくなる。
【０００９】
次にプロテクタ８のハウジング２への装着法について説明する。先ずプロテクタ８の上方リップ部９ａをハウジング２の装着溝部６ａに上方から挿入して下方にスライドさせると、上方リップ部９ａは図６に示す如く装着溝部６ａに係合する。次に下方リップ部９ｂを上面から押し下げることにより下方リップ部9ｂはその弾性により変形してハウジング２の下方装着溝部６ｂに押し込められる（図７〜図９参照）。この結果プロテクタ８はハウジング２に完全に装着されるようになる。プロテクタ８は上記したように上方リップ部９ａが装着溝部６ａに挿入後スライドして取り付けられるため、ハウジング２に確実に保持されるようになる。またプロテクタ８の端部８ａがハウジング２のリブ１０に係合するためプロテクタ８が左右にずれる心配もなくなる。
【００１０】
上記実施形態によれば、釘打機１を側面を下にして置いたとしても、プロテクタ８の凸部８ｂが先に当たるので釘打機１、銘板１１や相手材等が損傷することはなく、釘打機１は確実に保護される。プロテクタ８は上記した如くハウジング２に着脱可能であるので、分別回収が容易になると共に組立性が低下する恐れもなくなる。
【００１１】
上記実施形態においては、プロテクタ８をハウジング２に取り付けるとしたが、前記装着溝部６ａをエキゾーストカバー３に設け、エキゾーストカバー３とハウジング２に取り付けるようにしてもよく、またプロテクタ８にリップ部９ａ、９ｂ、ハウジング２に装着溝部６ａ、６ｂを設けるとしたが、プロテクタ８に装着溝部、ハウジング２にリップ部を設けてよいことは明らかである。
【００１２】
【発明の効果】
以上のように本発明によれば、釘打機を保護するプロテクタを、接着剤やネジ等の締結部材を使用することなく一体的に嵌着すると共に釘打機側面より張り出し固定しているため、釘打作業や落下した時にもずれたり、外れたりすることがなく釘打機を確実に保護できるようになる。また、取り付け、取り外しに特殊な工具が必要なく、また分別廃棄をする際にも容易に行うことができる等の種々の効果を奏し得ることができる。
【図面の簡単な説明】
【図１】本発明釘打機の一実施形態を示す側面図。
【図２】図１の側面図。
【図３】本発明を構成するプロテクタの背面図。
【図４】本発明を構成するハウジングのプロテクタ取り付け部を示す側面図。
【図５】プロテクタの取り付け前を示す図１のＡ−Ａ線断面図。
【図６】プロテクタ取り付け後を示す図１のＡ−Ａ線断面図。
【図７】プロテクタの取り付け前を示す図１のＣ−Ｃ線断面図。
【図８】プロテクタ取り付け時を示す図１のＣ−Ｃ線断面図。
【図９】プロテクタ取り付け後を示す図１のＣ−Ｃ断面図。
【図１０】図１のＢ−Ｂ線断面図。
【図１１】プロテクタをハウジングに取り付けた状態を示す斜視図。
【符号の説明】
１は釘打機、２はハウジング、３はエキゾーストカバー、８はプロテクタである。
【図１】
0003832226.tif 000002
【図２】
0003832226.tif 000003
【図３】
0003832226.tif 000004
【図４】
0003832226.tif 000005
【図５】
0003832226.tif 000006
【図６】
0003832226.tif 000007
【図７】
0003832226.tif 000008
【図８】
0003832226.tif 000009
【図９】
0003832226.tif 000010
【図１０】
0003832226.tif 000011
【図１１】
0003832226.tif 000012